(57)【特許請求の範囲】
【請求項１】
芯咬止チャックに対する１回のノックによって、締めリングの芯咬止チャックに対する押圧及び開放を介して芯を先端において突出させると共に、調節リングの回動を、締めリング又は当該締めリングの前方に位置しかつ当該締めリングの移動を止めるストッパーにおける長手方向への移動に変換するための雄ネジ及び雌ネジによる螺着機構を設け、当該螺着機構と締めリング又はストッパーとを、棒若しくはパイプによって接続している長手方向への移動伝達機構を設置することに基づき、調節リングの前記回動によって前記突出長を調整し得るノック式シャープペンシルにおいて、シャープペンシル本体の外側カバーに、長手方向に沿った細長孔を設け、調節リングの回動に伴い、前記螺着機構による締めリング又はストッパー又は棒若しくはパイプの長手方向の移動の程度を外側から目視可能としたことに基づくノック式シャープペンシル。
【請求項２】
調節リングの回動に基づき、締めリングを長手方向に移動自在とし、当該締めリングの位置を細長孔によって目視可能としたことを特徴とする請求項１記載のノック式シャープペンシル。
【請求項３】
調節リングの回動に基づき、締めリングに対するストッパーを口金と独立した状態にて長手方向に移動自在とし、当該ストッパーの位置を細長孔によって目視可能としたことを特徴とする請求項１記載のノック式シャープペンシル。
【請求項４】
調節リングの回動に基づき、長手方向への移動伝達機構に設けた目印を細長孔から目視可能としたことを特徴とする請求項１記載のノック式シャープペンシル。
【請求項５】
細長孔の後端と移動する対象物である締めリング又はストッパー又は棒若しくはパイプに付した目印との距離と、１ノック当りの芯が突出する距離とを概略等しく設定したことを特徴とする請求項１記載のノック式シャープペンシル。
【発明の詳細な説明】
【技術分野】
【０００１】
本発明は、調節リングの回動によってノックによって芯が口金の先端から突出する程度を調節し得ることを前提とするノック式シャープペンシルに関するものである。
【背景技術】
【０００２】
前記方式によるノック式シャープペンシルにおいては、調節リングの回動を長手方向への移動に変換するための雄ネジ、及び雌ネジによる螺着機構を設け、当該螺着機構と締めリング、又は当該締めリングに対するストッパーに対し、長手方向への移動伝達機構を設置することに基づき、調節リングの回動によって、１回のノックによる芯の先端における突出長を調節している。
【０００３】
しかしながら、従来技術においては、調節リングの回動によって、前記突出長さを調節したとしても、前記調節によって、直ちに芯の突出長さが判明する訳ではなく、その後のノックによって初めて、芯の突出長さが判明し得るため、ユーザーにおいては、調節リングの回動の程度又は回動の位置と芯の突出長さとの対応関係を十分把握し得る訳ではない。
【０００４】
このため、折角調節リングの回動位置によって、芯の突出長さを調節できるとしても、ユーザーにおいては、所望の突出長さを得るために、調節リングの回動の程度又は回動の位置をどのように設定すれば良いかを十分把握できないか、又は把握するまでに、相当の経験を必要とするというケースが少なからず発生している。
【０００５】
もとより、上記のようなケースは、調節リングの回動によって芯の突出長を調節自在としたことによる技術的意義を半減するものに他ならない。
【０００６】
【特許文献１】実開昭５７−５０３８１号公報。
【０００７】
【特許文献２】実開昭５７−９８８８２号公報。
【０００８】
【特許文献３】実開昭５７−１０１０８５号公報。
【０００９】
【特許文献４】実開昭５７−１２９６８８号公報。
【００１０】
【特許文献５】実開昭５７−１６２８８５号公報。
【発明の開示】
【発明が解決しようとする課題】
【００１１】
本発明は、調節リングを設けたノック式シャープペンシルにおいて、前記のような従来技術の問題点を克服し、ユーザーにおいて、調節リングの回動によって、口金の先端における芯の突出の程度を察知し得るような構成を提供することを課題としている。
【課題を解決するための手段】
【００１２】
前記課題を解決するため、本発明の構成は、  芯咬止チャックに対する１回のノックによって、締めリングの芯咬止チャックに対する押圧及び開放を介して芯を先端において突出させると共に、調節リングの回動を、締めリング又は当該締めリングの前方に位置しかつ当該締めリングの移動を止めるストッパーにおける長手方向への移動に変換するための雄ネジ及び雌ネジによる螺着機構を設け、当該螺着機構と締めリング又はストッパーとを、棒若しくはパイプによって接続している長手方向への移動伝達機構を設置することに基づき、調節リングの前記回動によって前記突出長を調整し得るノック式シャープペンシルにおいて、シャープペンシル本体の外側カバーに、長手方向に沿った細長孔を設け、調節リングの回動に伴い、前記螺着機構による締めリング又はストッパー又は棒若しくはパイプの長手方向の移動の程度を外側から目視可能としたことに基づくノック式シャープペンシルからなる。
【発明の効果】
【００１３】
本発明においては、ユーザーは、調節リングの回動に基づいて、芯が先端においてどの程度突出するかを十分把握することが可能であり、これによって、ユーザーは、調節リングの回動しながら、適切な芯の突出状況を設定することが可能となる。
【発明を実施するための最良の形態】
【００１４】
ノック式シャープペンシルにおいては、ノックに接続され、かつ当該ノックによって移動する芯咬止チャックが、締めリングによる周囲からの押圧によって芯を把持した状態にて前進し、かつ芯を先端から突出させ、締めリングがストッパーによって止められることによって、締めリングの芯咬止チャックに対する上記のような押圧状態、更には締めリングの上記のような芯を把持した状態を開放し、芯の突出を中止するという工程によって、芯の突出が設定されることになる。
【００１５】
そして、本発明においては、図１（ａ）、（ｂ）、（ｃ）に示すように、調節リング２の回動を締めリング５又は当該締めリング５の前方に位置しかつ当該締めリングの移動を止めるストッパー６における長手方向の移動に変換するような伝達機構を設けることによって、締めリング５、又は締めリング５に対するストッパー６の位置が調節され、これによって、前記のように、ノック４と接続されている芯咬止チャック９が芯７を把持する位置、又は芯７を開放する位置が調節され、ひいては、芯７の突出量が調節されることになる（図１（ａ）、（ｂ）は、何れも締めリング５が芯咬止チャック９を押圧し、かつ芯咬止チャック９が芯１を把持しながら一体となって前進している状態を示しており、図１（ｃ）は、締めリング５がストッパー６に止められることによって、芯咬止チャック９が締めリング５による押圧から解放され、更には芯７を開放している状態を示す。）。
【００１６】
調節リング２の回動を長手方向の移動に変換するには、図１（ａ）、（ｂ）、（ｃ）に示すように、シャープペンシル１本体内において、調節リング２の前方に雄ネジ及び雌ネジの螺着機構８を採用しており、当該螺着機構８の前方には、締めリング５又は当該締めリング５の前方に位置しかつ当該締めリング５の前方への移動を止めるストッパー６に長手方向の移動を行わせるために、前記螺着機構８と、前記締めリング５又は前記ストッパー６とを棒若しくはパイプ１０によって接続している長手方向への移動伝達機構を設置している。
【００１７】
図１（ａ）は、長手方向への移動伝達機構と接合している締めリング５の位置が、細長孔３を介して目視できる実施形態を示しており、
図１（ｂ）は、長手方向への移動機構と接合機構と接合しているストッパー６を、口金６１と独立した状態にて長手方向移動自在に設定したうえで、細長孔３を介して目視可能な実施形態を示しており、
図１（ｃ）は、長手方向への移動伝達機構を構成している棒若しくはパイプ１０において目印３１を付し、当該目印３１が細長孔３を介して目視可能な状態とする実施形態を示している。
【００１８】
図１（ｂ）のような実施形態とは別に、口金６１自体が締めリング５に対するストッパー６としての機能を兼用し得る実施形態も存在し、当該実施形態においても、本発明を適用することは不可能ではないが、その場合には、外部における固定した口金６１と、内部において、長手方向移動可能な口金６１の双方を設けると良い（但し、内部における移動可能な口金６１は、結局ストッパー６と同一機能を発揮することにならざるを得ない。）。
【００１９】
通常、螺着機構８において、雄ネジ及び雌ネジの一方は、調節リング２と接続しており、他方が長手方向への移動機構と接続されていることから、調節リング２自体は、長手方向に移動しないが、例外的に雄ネジ又は雌ネジの一方を長手方向への移動機構、及び回動ネジの双方に接続した場合には、調節リング２もまた、長手方向に移動する実施形態を採用することが可能となる。
【００２０】
このような実施形態の場合には、調節リング２が回動しながら、長手方向に移動することから、一見芯７の突出量を予測し得るが如くである。
【００２１】
しかしながら、調節リング２とシャープペンシル１本体の後端部との距離、又はノック４と調節リング２との距離と芯７の突出量とは、対応関係にあるも、これらの距離は、目視によって把握しにくいのに対し、図１（ａ）、（ｂ）、（ｃ）に示すような芯７の突出量に対応している締めリング５、ストッパー６、移動伝達機構の目印３１と、細長孔３の後端との距離は、目視によって極めて把握し易いことから、前記のような調節リング２が長手方向に移動する実施形態においても、本発明の構成は、存在価値を有している。
【００２２】
以下、実施例に即して説明する。
【実施例】
【００２３】
実施例においては、細長孔３の後端と移動する対象物である締めリング５又はストッパー６又は棒若しくはパイプ１０の目印３１との距離と、１ノック当りの芯７が突出する距離とを概略等しく設定したことを特徴としている。
【００２４】
即ち、図２に示すように、細長孔３から目視し得る前記移動対象物の何れかに所定の目印３１を付着し、当該目印３１の位置と長手方向の後端との距離を１ノック当りの芯７の突出量と概略等しく設定した場合には、ユーザーは、１ノック当りの芯７の突出量を正確に予測し、かつ把握することが可能となる（尚、図２では、前記距離及び突出量が相互に同一である場合を図示している。）。
【００２５】
目印３１を付着する対象物は、前記実施態様の項において、図１（ａ）、（ｂ）、（ｃ）に即して説明したように、締めリング５、ストッパー６、棒若しくはパイプ１０の何れでも良いが(尚、図２においては、棒若しくはパイプ１０に目印３１を付している。)、当該目印３１については、鮮明に目視できるような細い線であることが望ましい。
【産業上の利用可能性】
【００２６】
本発明は、１ノック当りの芯の突出量を調整し得るノック式シャープペンシルにおいて、更にユーザーにとって使用し易い構成として、シャープペンシルの製造分野において利用することが可能である。
【図面の簡単な説明】
【００２７】
【図１】本発明の基本原理に立脚した実施形態を示す側断面図であり、（ａ）は、締めリングを目視可能とした実施形態を示しており、（ｂ）は、ストッパーを目視可能とした実施形態を示しており、（ｃ）は、長手方向移動伝達機構による特定の位置を目視可能とした実施形態を示している。
【図２】実施例の構成を示す側面図である。
【符号の説明】
【００２８】
１    シャープペンシル
２    調節リング
３    細長孔
３１    目印
４    ノック
５    締めリング
６    ストッパー
６１    口金
７    芯
８    螺着機構
９    芯咬止チャック
１０    棒若しくはパイプ
１１    ノックと芯咬止チャックとの接続部
【図１】
0004541026.tif 000002
【図２】
0004541026.tif 000003